(57)【要約】【課題】冷却用ファンを設けることなく、筐体内部を外気で冷却すること。【解決手段】化粧板３のディスク外周側にスリット７を間にして一対の開口部を設け、この開口部上に蓋１１ａ、１１ｂを開閉自在に配置し、ピックアップ６がディスク１３の外周側に移動したときに、蓋１１ａ、１１ｂを開き、開口部から化粧板３内に外気を導いてピックアップ６を冷却する。【選択図】        図４
2004342160.tif 000002
【特許請求の範囲】
【請求項１】
データ記憶媒体であるディスクを回転自在に支持するスピンドルの周囲に配置されて前記ディスクの光照射面を臨む筐体であって、前記ディスクに対してデータの読み書きを行なうピックアップの移動路に沿ったスリットを有する筐体に形成された複数の開口部と、前記ピックアップの移動に連動して前記複数の開口部を開閉するシャッター機構とを備えてなる光ディスク装置。
【請求項２】
データ記憶媒体であるディスクを回転自在に支持するスピンドルの周囲に配置されて前記ディスクの光照射面を臨む筐体であって、前記ディスクに対してデータの読み書きを行なうピックアップの移動路に沿ったスリットを有する筐体に形成された複数の開口部と、前記ピックアップの位置に応じて前記複数の開口部を開閉するシャッター機構とを備えてなる光ディスク装置。
【請求項３】
データ記憶媒体であるディスクを回転自在に支持するスピンドルの周囲に配置されて前記ディスクの光照射面を臨む筐体であって、前記ディスクに対してデータの読み書きを行なうピックアップの移動路に沿ったスリットを有する筐体の外周側に形成された複数の開口部と、前記ピックアップが前記ディスクの外周側にあるときに前記複数の開口部を開き、それ以外のときには前記複数の開口部を閉じるシャッター機構とを備えてなる光ディスク装置。
【請求項４】
データ記憶媒体であるディスクを回転自在に支持するスピンドルの周囲に配置されて前記ディスクの光照射面を臨む筐体であって、前記ディスクに対してデータの読み書きを行なうピックアップの移動路に沿ったスリットを有する筐体に形成された複数の開口部と、前記ピックアップによるデータ書き込み時に前記複数の開口部を開き、それ以外のときには前記複数の開口部を閉じるシャッター機構とを備えてなる光ディスク装置。
【請求項５】
データ記憶媒体であるディスクを回転自在に支持するスピンドルの周囲に配置されて前記ディスクの光照射面を臨む筐体であって、前記ディスクに対してデータの読み書きを行なうピックアップの移動路に沿ったスリットを有する筐体に形成された複数の開口部と、前記ピックアップの温度が設定温度を越えたことを条件に前記複数の開口部を開き、それ以外のときには前記複数の開口部を閉じるシャッター機構とを備えてなる光ディスク装置。
【請求項６】
請求項１、２または３のうちいずれか１項に記載の光ディスク装置において、前記シャッター機構は、前記複数の開口部上にそれぞれ開閉自在に配置された複数の蓋と、前記スリット近傍に配置されて前記複数の蓋にそれぞれ連結され、前記ピックアップとの接触に伴う押圧力により前記複数の蓋をそれぞれ開方向にガイドし、前記ピックアップとの接触が解除されたときには前記複数の蓋をそれぞれ閉方向にガイドする複数の支持部材とを備えてなることを特徴とする光ディスク装置。
【請求項７】
請求項１、２、３、４、５または６のうちいずれか１項に記載の光ディスク装置において、前記ディスクの有無を検出するディスク検出器を備え、前記シャッター機構は、前記ディスク検出器によりディスクが前記スピンドルに装着されていることを条件に開閉動作を実行してなることを特徴とする光ディスク装置。
【請求項８】
請求項１、２、３、４、５、６または７のうちいずれか１項に記載の光ディスク装置において、前記筐体に連結されたフロントパネルと後部パネルにはそれぞれ開口部が形成されてなることを特徴とする光ディスク装置。
【請求項９】
請求項８に記載の光ディスク装置において、前記開口部にはそれぞれ防塵カバーが装着されてなることを特徴とする光ディスク装置。
【発明の詳細な説明】
【０００１】
【発明の属する技術分野】
本発明は、光ディスク装置に係り、特に、データ記憶媒体であるディスクに対してデータの読み書きを行うに好適な光ディスク装置に関する。
【０００２】
【従来の技術】
光ディスク装置に用いられる光ディスクとしては、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−ＲＷ（Ｃｏｍｐａｃｔ  Ｄｉｓｃ  Ｒｅｗｒｉｔａｂｌｅ）、ＤＶＤ−ＲＯＭ（ＤｉｇｉｔａｌＶｅｒｓａｔｉｌｅ  Ｄｉｓｃ  Ｒｅａｄ  Ｏｎｌｙ  Ｍｅｍｏｒｙ）、ＤＶＤ−ＲＡＭ（Ｄｉｇｉｔａｌ  Ｖｅｒｓａｔｉｌｅ  Ｄｉｓｃ  Ｒａｎｄｏｍ  Ａｃｃｅｓｓ  Ｍｅｍｏｒｙ）、ＤＶＤ−ＲＷ（Ｄｉｇｉｔａｌ  Ｖｅｒｓａｔｉｌｅ  Ｄｉｓｃ  Ｒｅｗｒｉｔａｂｌｅ）などが知られている。この種の光ディスクを用いた光ディスク装置においては、小型化、高速化に伴って内部の電子部品の発熱密度が上昇し、ディスクの書き込み、読み込み時における温度上昇による誤動作を防止することが重要な課題になっている。また、書き込み、読み込みを行うピックアップは熱に弱く、ピックアップの温度上昇を抑制することも重要な課題である。
【０００３】
光ディスク装置の温度上昇を抑制するに際して、従来、ファンを用いてピックアップを冷却することが考えられていたが、ファンを設置したのでは、騒音、信頼性の低下、装置体積や重量の増大などの問題点が多く、ノートパソコンなどの小型記憶装置に適した構造とはいえない。
【０００４】
そこで、ファンを設置せずに、ディスクの回転による負圧を利用してピックアップを冷却する構造を採用したものが提案されている（特許文献１参照）。
【０００５】
【特許文献１】
特開２０００−１７３２５９号公報（第３頁〜第５頁、図１、図２、図５参照）
【０００６】
【発明が解決しようとする課題】
上記従来技術においては、ファンを設置せずにピックアップを冷却する構造を採用しているため、ファンの騒音はなくなり、またディスク装置の外部から空気を導入しないので、空気とともに塵が入り込まないという利点があるものの、ディスクの回転数が小さい場合には、ディスクが回転することにより生じる内部流れも小さくなり、ピックアップの温度上昇を規定温度以下にするには十分ではない。
【０００７】
本発明の課題は、冷却用ファンを設けることなく、筐体内部を外気で冷却することにある。
【０００８】
【課題を解決するための手段】
前記課題を解決するために、本発明は、スピンドルの周囲に配置されてディスクの光照射面を臨む筐体であって、ディスクに対してデータの読み書きを行うピックアップの移動路に沿ったスリットを有する筐体に複数の開口部を形成し、各開口部をピックアップの移動に連動して開閉するシャッタ機構を設けたものである。
【０００９】
シャッタ機構としては、以下の機能を有するものを用いることができる。
【００１０】
（１）ピックアップの位置に応じて複数の開口部を開閉する。
【００１１】
（２）ピックアップがディスクの外周側にあるときに複数の開口部を開き、それ以外のときには複数の開口部を閉じる。
【００１２】
（３）ピックアップによるデータ書き込み時に複数の開口部を開き、それ以外のときには複数の開口部を閉じる。
【００１３】
（４）ピックアップの温度が設定温度を超えたことを条件に複数の開口部を開き、それ以外のときには複数の開口部を閉じる。
【００１４】
前記した手段によれば、シャッタ機構によって複数の開口部が開閉されるため、ピックアップの温度が上昇したときに、開口部を介して筐体内に外気を導入することで、ピックアップの温度上昇を抑制することができる。またピックアップの温度が低いときにはシャッター機構によって開口部を閉じることで、防塵性を損なうことがない。
【００１５】
【発明の実施の形態】
以下、本発明の一実施形態を図面に基づいて説明する。図１は、本発明の一実施形態を示す光ディスクの装置の平面図、図２は、光ディスク装置の斜視図である。なお、図１および図２では説明のために、ディスクおよび天板カバーを省いている。図１および図２において、ケース１は光ディスク装置の筐体の主要素としてほぼ長方形形状に形成されている。このケース１には、一部に空間部を有するトレイ２が連結されており、トレイ２には、トレイ２の空間部を埋めるようにして配置された化粧板３が連結されている。すなわち、トレイ２、化粧板３は筐体の一要素としてケース１に連結されている。トレイ２のほぼ中央部にはスピンドル４を配置するための空間部が形成されているとともに、円盤状の窪み５が形成されている。またトレイ２にはその底部側からメカユニット１８が嵌め込まれており、メカユニット１８に設置されたスピンドル４がトレイ２のほぼ中央部に配置され、このスピンドル４にデータ記憶媒体であるディスク（光ディスク）の孔がはめこまれるようになっている。またメカユニット１８にはピックアップ６がディスクの半径方向、すなわちトレイ２の半径方向に移動可能に配置されている。化粧板３には、ピックアップ６の移動路に沿ってスリット７が形成されている。このスリット７はディスクの半径方向内側から半径方向外側まで形成されており、ピックアップ６から発生するレーザ光がディスクの記録再生面（光照射面）とピックアップ６との間をスリット７を介して通過可能な構造となっている。このスリット７近傍のうちディスクの半径方向外周側には一対の開口部（図示省略）が形成されており、各開口部上には蓋１１ａ、１１ｂが開閉自在に配置されている。
【００１６】
また、トレイ２の前面側にはフロントパネル１０が取り付けられており、トレイ２の背面側にはパソコンとデータをやり取りするためのインターフェイス部を有する後部パネル２４が取り付けられている。またトレイ２の内部には各種電子部品を搭載した電子基板９が配置されている。この電子基板９はピックアップ６から離れた位置に配置されており、電子基板９とピックアップ６とを互いに離れた位置に配置することで、発熱部品同士が干渉しないようになっている。またメカユニット１８の反ディスク側（下側）はほぼカバー８によって覆われており、このカバー８は電子基板９近傍まで配置されている。
【００１７】
一方、ピックアップ６は、図３に示すように、ディスク１３の記録再生面（光照射面）にレーザ光を照射することで、情報の記録／再生を行うことができるようになっている。このピックアップ６は、レーザ光を発生するレーザダイオードユニット（ＬＤＵ）やＬＤＵを駆動するレーザダイオードドライバ（ＬＤＤ）などを含むレーザ装置、およびディスク１３からの反射光を電気に変換することによって得られた電流信号を増幅し、増幅した電流信号を電圧信号に変換して、ディスク１３の有無、ディスク１３の種類を検出するヘッドアンプを備えて構成されている。なお、レーザ装置は、レーザを発生させるために用いられる光学的素子、電気回路などを含むものとする。ピックアップ６に設けられたレーザ装置やヘッドアンプは、記録再生動作中に発熱する。特にピックアップ６がデータを書き込むときには加熱状態（所定温度を超える状態）になる恐れがある。レーザダイオードユニットの温度が上昇することは誤動作の原因になるため、好ましくない。
【００１８】
このため、本実施形態では、レーザダイオードユニットの温度を設定温度以下に制御するに際して、ピックアップ６のレーザダイオードユニットの近傍には、レーザダイオードユニットの温度を検出する温度検出器としてのサーミスタが設けられている。このサーミスタは、熱容量が小さく、温度変化に対してその抵抗値を大きく変化させる半導体素子である。なお、本明細書では、ピックアップ６を構成する要素、例えば、レーザダイオードユニットやレーザダイオードドライバの温度をピックアップの温度と呼ぶ場合がある。
【００１９】
スピンドル４に装着されたディスク１３はスピンドル４の回転によって回転するようになっており、ディスク１３の記録再生面に、ピックアップ６をディスク１３の半径方向に沿って移送するための移送装置１５が設けられている。この移送装置１５は、例えば、ステッピングモータで構成されており、このステッピングモータにはリードスクリュ１５ａが連結されている。リードスクリュ１５ａはディスク１３の半径方向に沿って配置されたガイドバー１５ｂと平行に配置されており、ガイドバー１５ｂにはピックアップ６が往復動自在に装着されている。そしてピックアップ６の螺旋部６ａとリードスクリュ１５ａとが噛み合い、ステッピングモータの回転に伴ってリードスクリュ１５ａが回転することで、ピックアップ６がディスク１３の半径方向に沿って移送するようになっている。またステッピングモータにはエンコーダが設けられており、このエンコーダの出力に基づいて、ステッピングモータの回転数あるいはピックアップ６の移動量または位置を検出することができるようになっている。
【００２０】
これらの制御は、ＣＰＵで構成された移送制御手段３４によって行われるようになっており、移送制御手段３４は、計時手段３２、インターフェイス制御手段３６を介して上位装置のパソコン３８に接続されている。すなわち、上位装置であるパソコン３８からの指令にしたがってピックアップ６の移送が制御されるようになっている。なお、移送装置１５、ディスク１３の回転中心とディスク１３の外周部との間でピックアップ６を移動させることがものであれば、他のものを用いることもできる。
【００２１】
ディスクモータ制御手段３０は、計時手段３２、移送制御手段３４、インターフェイス制御手段３６とともにＣＰＵによって構成されており、このディスクモータ制御手段３０はスピンドル４に接続され、スピンドル４の回転速度を制御するようになっている。この場合は、ディスクモータ制御手段３０はパソコン３８からの指令にしたがってスピンドル４の速度を制御できるようになっている。
【００２２】
計時手段３２は、例えば、ＣＰＵの動作クロックを利用することによって時間間隔（期間）を計測することができる。この計時手段３２は、ディスクモータ制御手段３０もしくは移送制御手段３４からリセット信号を受けた時点からの経過時間を計測することができる。
【００２３】
また、ディスク装置１は、インターフェイス制御手段３６を介して、ディスク装置１の外部に接続されたパソコン３８との間でコマンドのやり取りを行ったり、データ転送を行うことができるようになっている。
【００２４】
ここで、本実施形態においては、ピックアップ６の温度上昇を抑制するために、図４に示すように、化粧板３のディスク外周側に、ピックアップ６の移動に連動して開口部を開閉するシャッタ機構３９、あるいはピックアップ６の位置に応じて開口部を開閉するシャッタ機構３９が設けられている。すなわち、光ディスク装置がディスク書き込みモード（データ書き込み時）では、ディスク再生モードのときと比べて、ピックアップ６内のレーザの発熱量が増大する。その結果、ディスク書き込み終了直前において、レーザの温度が動作保証温度を超えてしまい、ディスク書き込みに失敗することがある。またディスク書き込み終了直前には、ピックアップ６の位置はディスク１３の外周側にあるので、化粧板３の外周側に形成された開口部から外気を導入して排出することで、ディスク１３の回転流れによりピックアップ６から熱を奪う面積が増加するので、ピックアップ６の放熱性能が増大し、レーザの温度を低下させることができる。
【００２５】
具体的には、シャッタ機構３９は、複数の開口部（化粧板３のうち蓋１１ａ、１１ｂの下側の領域に形成された開口部）を開閉する複数の蓋１１ａ、１１ｂ、ヒンジ１６ａ、１６ｂ、突起２１ａ、２１ｂなどを備えて構成されている。ヒンジ１６ａ、１６ｂはスリット７近傍に配置されており、このヒンジ１６ａ、１６ｂにはそれぞれ蓋１１ａ、１１ｂが開閉自在に連結されている。さらにヒンジ１６ａ、１６ｂには、蓋１１ａ、１１ｂを常時閉方向に付勢するためのばね（図示省略）が取り付けられている。また蓋１１ａ、１１ｂにはそれぞれスリット７側に突出した突起２１ａ、２１ｂが設けられている。各突起２１ａ、２１ｂはピックアップ６の端部に設けられた突起２０ａ、２０ｂとそれぞれ接触する位置に配置されている。そしてピックアップ６がディスク１３の外周側に移動する過程で、突起２０ａ、２０ｂがそれぞれ蓋１１ａ、１１ｂの突起２１ａ、２１ｂと接触し、この接触に伴う押圧力が蓋１１ａ、１１ｂに作用すると、各蓋１１ａ、１１ｂはヒンジ１６ａ、１６ｂを回転中心として矢印方向に回転する。すなわち、ヒンジ１６ａ、１６ｂはそれぞれ支持部材として、蓋１ａ、１１ｂを開方向にガイドする。そしてピックアップ６が最外周側に移動すると、各蓋１１ａ、１１ｂが点線の位置まで移動し、蓋１１ａ、１１ｂが元にあった位置には開口部が露出する。そして一方の開口部から外気が導入され、導入された外気によってピックアップ６が冷却され、冷却に寄与した外気が他方の開口部から排出される。
【００２６】
一方、ピックアップ６が外周側から内周側に移動し、各突起２１ａ、２１ｂが突起２０ａ、２０ｂとの接触が解除されたときには、ばねの付勢力により蓋１１ａ、１１ｂは元の位置に復帰する。この場合、ヒンジ１６ａ、１６ｂは蓋１１ａ、１１ｂを閉方向にガイドすることになる。
【００２７】
このように、本実施形態におけるシャッタ機構３９は、ピックアップ６がディスク１３の外周側にあるときに各開口部を開き、それ以外のとき、例えば、ピックアップ６がディスク１３の内周側にあるときには各開口部を閉じることで、冷却ファンを用いることなく、筐体内部にあるピックアップ６を外気で冷却することができる。またピックアップ６が内周側にあるときには開口部が蓋１１ａ、１１ｂによって閉じられるため、防塵性を損なうことはない。
【００２８】
前記実施形態においては、蓋１１ａ、１１ｂおよび開口部として扇形状のものについて述べたが、図５に示すように、蓋１１ｃ、１１ｄとして長方形状のものを用いるとともに、蓋１１ｃ、１１ｄによって開閉される開口部の形状として長方形形状のものを用いることもできる。
【００２９】
次に、本発明の他の実施形態を図６にしたがって説明する。本実施形態は、フロントパネル１０と後部パネル２４にそれぞれ開口部１７、２３を設けたものである。フロントパネル１０に開口部１７を設けると、この開口部１７は空気の吸入口となり、後部パネル２４の開口部２３は空気の排気口となる。このためフロントパネル１０から新鮮な空気が開口部１７から流入し、ピックアップ６にあたることにより、ピックアップ６の冷却効果を高めることができる。また筐体内の空気を排気口２３から排出することで、フロントパネル１０の開口部１７から流入する空気の量を増やすことができる。
【００３０】
次に、本発明の第４実施形態を図７にしたがって説明する。本実施形態は、サーミスタの出力を温度データに変換する温度変換手段１９を設け、温度変換手段１９の出力にしたがって、シャッタ機構４１を駆動するようにしたものであり、他の構成は第１実施形態のものと同様である。温度変換手段１９は、ピックアップ６に配置されたサーミスタの出力を温度データに変換することによって、ピックアップ６の温度を検出するようになっている。サーミスタの抵抗値と温度との関係は予め定められているので、サーミスタの出力情報を演算することにより、ピックアップ６の温度を求めることができる。なお、本実施形態では、上述したように、ピックアップ６の中でも、レーザダイオードユニットの温度を測定している。これは、レーザダイオードユニットの性能は、加熱によって劣化しやすため、レーザダイオードユニットの温度を所定の温度以下に制御することが重要だからである。
【００３１】
シャッタ機構４１は、シャッタ機構３９と同様に、蓋１１ａ、１１ｂ、ヒンジ１６ａ、１６ｂ、突起２１ａ、２１ｂなどを備えて構成されているとともに、ピックアップ６の位置によらず蓋１１ａ、１１ｂを開閉駆動するために、温度変換手段１９によってピックアップ６の温度が設定温度を超えたことの出力に応答してヒンジ１６ａ、１６ｂを回転駆動するモータなどを備えて構成されている。
【００３２】
本実施形態によれば、ピックアップ６の温度が設定温度を超えたときにはシャッタ機構４１によって蓋１１ａ、１１ｂが強制的に開方向に駆動されるため、外気を筐体内に導入することで、ピックアップ６を設定温度以下に制御することができる。
【００３３】
次に、本実施形態の第５実施形態を図８にしたがって説明する。本実施形態は、ディスク１３の有無およびディスク１３の種類を検出するヘッドアンプ４２の出力に応答してシャッタ機構４１を駆動するようにしたものであり、他の構成は第４実施形態と同様である。
【００３４】
本実施形態においては、ヘッドアンプ４２によりディスク１３があることが検出されるとともに、ディスク１３として記録可能なもの設置されたことが検出されたときに、シャッタ機構４１が蓋１１ａ、１１ｂを開方向に駆動し、それ以外のときには蓋１１ａ、１１ｂを閉じるように構成されている。
【００３５】
本実施形態によれば、ピックアップ６によるデータ書き込み時にのみ蓋１１ａ、１１ｂが開かれて筐体内に外気が導入され、筐体内のピックアップ６を冷却することができる。
【００３６】
次に、本発明の第６実施形態を図９にしたがって説明する。本実施形態は、インターフェイス制御手段１６に、パソコン３８からディスク１３に対してデータを記録するための書き込み指令信号が入力されたこと条件に、この信号に応答してシャッタ機構４１を開駆動するようにしたものであり、他の構成は第４実施形態のものと同様である。
【００３７】
本実施形態によれば、データの書き込み時にのみ蓋１１ａ、１１３ｂが開かれ、筐体内部のピックアップ６内に外気を導入してピックアップ６を冷却することができる。
【００３８】
図１０はフロントパネル１０の他の実施形態を示す正面図である。このフロントパネル１０の下部側には長方形形状の開口部１７が形成されており、この開口部１７から光ディスク装置外の空気を装置内へ流入されるようになっている。この場合、装置外の空気に混じった塵を装置内に入れないために、開口部１７に防塵フィルタを取り付けることもできる。
【００３９】
また、フロントパネル１０としては、図１１に示すように、フロントパネル１０の下側に複数の開口部１７を形成し、格子状の開口部を形成することもできる。開口部１７が長方形の場合は格子形状の場合と比べて加工は容易で、流入する空気の量は多い。一方、開口部１７が格子状の場合は、開口部１７での構造強度が増し、また指を入れて開口部１７が破壊されることを防止することができる。
【００４０】
また、後部パネル２４としては、図１２および図１３に示すように、開口部２３として長方形形状のもの格子形状のものを用いることもできる。開口部２３が長方形の場合は格子形状のものと比べて加工が容易で、流入する空気の量は多い。開口部２３が格子形状の場合は、開口部２３での構造強度も増し、また指を入れて開口部２３が破壊されるのを防ぐことができる。
【００４１】
また、フロントパネル１０の開口部１７や後部パネル２０の開口部２３にはシャッタ機構４１を設けたり、防塵フィルタを設けることもできる。
【００４２】
また、シャッタ機構４１としては、ディスク１３が装着されている（ディスク有り）ことを条件に開方向に駆動させることで、誤動作を防止することができる。
【００４３】
【発明の効果】
以上説明したように、本発明によれば、冷却用ファンを設けることなく、筐体内部を外気で冷却することができ、小型・低消費電力型の光ディスク装置の内部冷却を有効に行うことが可能になる。
【図面の簡単な説明】
【図１】本発明の第１実施形態を示す光ディスク装置の正面図である。
【図２】図１に示した光ディスク装置の斜視図である。
【図３】図１に示した光ディスク装置の機構部と制御系の構成を説明するための図である。
【図４】シャッタ機構の構成図である。
【図５】本発明の第２実施形態を示すシャッタ機構の構成図である。
【図６】本発明の第３実施形態を示す光ディスク装置の斜視図である。
【図７】本発明の第４実施形態を示す光ディスク装置の機構部と制御系の構成図である。
【図８】本発明の第５実施形態を示す光ディスク装置の機構部と制御系の構成図である。
【図９】本発明の第６実施形態を示す光ディスク装置の機構部と制御系の構成図である。
【図１０】フロントパネルの正面図である。
【図１１】他のフロントパネルの正面図である。
【図１２】後部パネルの正面図である。
【図１３】他の後部パネルの正面図である。
【符号の説明】
１  ケース
２  トレイ
３  化粧板
４  スピンドル
６  ピックアップ
７  スリット
８  カバー
１０  フロントパネル
１１ａ、１１ｂ  蓋
１３  ディスク
１６ａ、１６ｂ  ヒンジ
２０ａ、２０ｂ、２１ａ、２１ｂ  突起
１８  メカユニット
３０  ディスクモータ制御手段
３２  計時手段
３４  移送制御手段
３６  インターフェイス制御手段
３８  パソコン
３９  シャッタ機構
４１  シャッタ機構
４２  ヘッドアンプ
【図１】
2004342160.tif 000003
【図２】
2004342160.tif 000004
【図３】
2004342160.tif 000005
【図４】
2004342160.tif 000006
【図５】
2004342160.tif 000007
【図６】
2004342160.tif 000008
【図７】
2004342160.tif 000009
【図８】
2004342160.tif 000010
【図９】
2004342160.tif 000011
【図１０】
2004342160.tif 000012
【図１１】
2004342160.tif 000013
【図１２】
2004342160.tif 000014
【図１３】
2004342160.tif 000015